(57)【特許請求の範囲】
【請求項１】
２つの互いに独立した耳部と，一方の耳部の側縁に一体に結合され、ピンに挿通された中間に位置する円筒状のピン挿通部と，他方の耳部の側縁に一体に結合され、前記ピンに中間のピン挿通部を上下から挟むように挿通された上端に位置する円筒状のピン挿通部と下端に位置する円筒状のピン挿通部とを有し、前記３つのピン挿通部はピンを軸に両耳部を互いに回動可能に結合する蝶番であって、
断面円弧状部分を有し、前記上端に位置するピン挿通部の表面を覆うところの、脱着自在で上側に位置する飾りキャップと、
断面円弧状部分を有し、前記下端に位置するピン挿通部の表面を覆うところの、脱着自在で下側に位置する飾りキャップと、
断面円弧状部分を有し、前記中間に位置するピン挿通部の表面を覆うところの、脱着自在で中間に位置する飾りキャップを備え、前記３つの飾りキャップは個々に独立していることを特徴とする飾りキャップ付き蝶番。
【請求項２】
前記上側に位置する飾りキャップ（Ｆ１）は、嵌合側から上方に向かって、嵌着時に前記他方の耳部（１１）によって進入が阻止されないように切り込み（Ｃ１）が形成された略円筒状の嵌着部を有し、前記上端に位置するピン挿通部（１２）に、前記切り込み（Ｃ１）と前記他方の耳部（１１）とを一致させたうえ、上方から外嵌されピン挿通部（１２）の表面を覆い、
かつ、前記下側に位置する飾りキャップ（Ｆ１）は、嵌合側から下方に向かって、嵌着時に前記他方の耳部（１１）によって進入が阻止されないように切り込み（Ｃ１）が形成された略円筒状の嵌着部を有し、前記下端に位置するピン挿通部（１２）に、前記切り込み（Ｃ１）と前記他方の耳部（１１）とを一致させたうえ、下方から外嵌されピン挿通部（１２）の表面を覆い、
その上、前記中間に位置する飾りキャップ（Ｆ２）は、両端が開いた切り込み（Ｃ２）が形成された嵌着部を有し、前記中間に位置するピン挿通部（２２）に、側方から前記切り込み（Ｃ２）を当てて押すことにより弾性変形で前記切り込み（Ｃ２）を開いて外嵌させてピン挿通部（２２）を包み、弾性変形時の復元力によってピン挿通部（２２）を把持してピン挿通部（２２）の表面を覆うことを特徴とする請求項１に記載の飾りキャップ付き蝶番。
【発明の詳細な説明】
【０００１】
【発明の属する技術分野】
本発明は、飾りキャップ付き蝶番に関する。より具体的には建物のドアを開口枠に開閉可能に取付ける蝶番であり、飾りキャップが装着された飾りキャップ付き蝶番に関する。
【０００２】
【従来の技術】
従来、建物のドアは、開口枠に蝶番を介して開閉可能に取り付けられている。この蝶番は、例えば図３に示すように、図示しない開口枠及びドア端面にそれぞれ木ネジ等により固定される２つの互いに独立した耳部１１，２１と、その耳部１１，２１の側縁にそれぞれ一体に結合され、ピン２５に挿通された円筒状のピン挿通部１２，２２とを備え、ピン挿通部１２，２２はピン２５を軸に両耳部１１，２１を互いに回動可能に結合するものである。
【０００３】
【発明が解決しようとする課題】
このような蝶番では、ドアが閉じられた状態で、ピン挿通部１２，２２は露出し、外観の向上のために、色・形状・質感その他に種々の工夫が施されている。特に上下の端のピン挿通部１２，１２には種々の形状の飾り部Ｍ，Ｍが一体に結合されていることが多く、そのため消費者の多様な要求に対応可能に少量多種類の蝶番が準備される必要があり、それだけコスト高となるという問題点がある。
【０００４】
そこで本発明の目的とするところは、上記従来例の欠点を解消した、消費者の多様な要求にも対応可能であり、且つコストが低減されるよう、露出するピン挿通部に脱着可能な飾りキャップ付き蝶番を提供することにある。
【０００５】
【課題を解決するための手段】
上記の目的を達するために、本発明の飾りキャップ付き蝶番は、２つの互いに独立した耳部（１１，２１）と，一方の耳部（２１）の側縁に一体に結合され、ピン（２５）に挿通された中間に位置する円筒状のピン挿通部（２２）と，他方の耳部（１１）の側縁に一体に結合され、前記ピン（２５）に中間のピン挿通部（２２）を上下から挟むように挿通された上端に位置する円筒状のピン挿通部（１２）と下端に位置する円筒状のピン挿通部（１２）とを有し、前記３つのピン挿通部（１２，１２，２２）はピン（２５）を軸に両耳部（１１，２１）を互いに回動可能に結合する蝶番であって、
断面円弧状部分を有し、前記上端に位置するピン挿通部（１２）の表面を覆うところの、脱着自在で上側に位置する飾りキャップ（Ｆ１）と、
断面円弧状部分を有し、前記下端に位置するピン挿通部（１２）の表面を覆うところの、脱着自在で下側に位置する飾りキャップ（Ｆ１）と、
断面円弧状部分を有し、前記中間に位置するピン挿通部（２２）の表面を覆うところの、脱着自在で中間に位置する飾りキャップ（Ｆ２）を備え、前記３つの飾りキャップ（Ｆ１，Ｆ，Ｆ２）は個々に独立していることを特徴とするものである。
【０００６】
また本発明は、前記上側に位置する飾りキャップ（Ｆ１）は、嵌合側から上方に向かって、嵌着時に前記他方の耳部（１１）によって進入が阻止されないように切り込み（Ｃ１）が形成された略円筒状の嵌着部を有し、前記上端に位置するピン挿通部（１２）に、前記切り込み（Ｃ１）と前記他方の耳部（１１）とを一致させたうえ、上方から外嵌されピン挿通部（１２）の表面を覆い、
かつ、前記下側に位置する飾りキャップ（Ｆ１）は、嵌合側から下方に向かって、嵌着時に前記他方の耳部（１１）によって進入が阻止されないように切り込み（Ｃ１）が形成された略円筒状の嵌着部を有し、前記下端に位置するピン挿通部（１２）に、前記切り込み（Ｃ１）と前記他方の耳部（１１）とを一致させたうえ、下方から外嵌されピン挿通部（１２）の表面を覆い、
その上、前記中間に位置する飾りキャップ（Ｆ２）は、両端が開いた切り込み（Ｃ２）が形成された嵌着部を有し、前記中間に位置するピン挿通部（２２）に、側方から前記切り込み（Ｃ２）を当てて押すことにより弾性変形で前記切り込み（Ｃ２）を開いて外嵌させてピン挿通部（２２）を包み、弾性変形時の復元力によってピン挿通部（２２）を把持してピン挿通部（２２）の表面を覆うことを特徴とするものである。
【０００９】
なお、上記の課題を解決するための手段に記載された括弧内の記号は図面及び後述する発明の実施の形態に記載された記号に対応するものである。
【００１０】
本発明によれば、軟鋼等安価な材料で大量生産された低コストの蝶番が使用可能になるため、コストの著しい低減が可能になる。さらに、色・形状・質感その他の点で多様な飾りキャップが準備されれば、消費者はその中から好みに合ったものを選択し、ピン挿通部を覆うように嵌着するだけで、蝶番全体が同材料で構成されたものに比較して低負担で自分の好みの蝶番を容易に得ることが出来る。
さらに、飾りキャップ自体も、例えばプラスチック等、安価に成形可能な基体の表面に好みの塗装・メッキ等が施されることによって、コストが一層低減されることになる。そのうえ飾りキャップは、脱着自在であるため、必要に応じて低い負担で好みのものに交換可能である。
【００１１】
また本発明によれば、中間に位置する飾りキャップが弾性変形容易であって、弾性変形時の復元力によってピン挿通部を把持可能であるため、脱着が容易であるだけでなく、使用時に衝撃等による脱落も起こり難い。
【００１２】
【発明の実施の形態】
本発明の飾りキャップ付き蝶番の実施の形態例について図面を参照して説明する。図１は本発明の実施の形態例に係る飾りキャップ付き蝶番の斜視図であり、飾りキャップが取り付けられる前の状態を示す。また、図２はその展開された状態の正面図であり、飾りキャップが取り付けられた後の状態を示す。
【００１３】
先ず蝶番本体について説明すると、それぞれ建物の開口部及びドアの側端面に木ネジ等により取り付けられる２つの互いに独立の耳部１１，２１，その耳部１１，２１の側縁にそれぞれ一体に結合され、ピン２５に挿通された円筒状のピン挿通部１２，２２とを備え、ピン挿通部１２，２２はピン２５を軸に両耳部１１，２１を互いに回動可能に結合するものである。しかも、この蝶番は、安価に大量生産されたものであって、通常は安価な軟鋼が使用されている。
【００１４】
次に飾りキャップについて説明すると、互いに補完するように、ピン２５が挿通される円筒状のピン挿通部１２，２２の表面を覆う、断面円弧状の部分を有する脱着自在の複数の嵌着部Ｆ１，Ｆ１，Ｆ２を備えており、そのうち、中間に位置するピン挿通部２２を上下から挟む上端及び下端に位置するピン挿通部１２，１２には、さらに種々の形状の飾り部Ｍ，Ｍが一体に結合されている。
【００１５】
さらに詳細に説明すると、上下端に位置するピン挿通部１２，１２の嵌着部Ｆ１，Ｆ１は、略円筒状であり、ピン挿通部１２，１２への嵌着時、耳１１によって阻止されず、進入出来るよう、１カ所だけ、母線に沿って嵌合側から奥に向かって切り込みＣ１が形成されている。なお、通常その他の端部分は閉じられているが、これに限定されるものではない。
【００１６】
また、上下方向中間部に位置するピン挿通部２２の嵌着部Ｆ２は、側方からでも嵌着可能に、両端が開いた切り込みＣ２が形成されている。なお、その幅は、ピン挿通部２２への嵌着が容易であるよう、上記切り込みＣ１のそれよりも大きく形成されている。
【００１７】
嵌着部Ｆ２のピン挿通部２２への嵌着に当たっては、先ず上下方向中間部に位置するピン挿通部２２に、側方からの切り込みＣ２を平行に当てて、強く押す。そうすると、嵌着部Ｆ２が弾性変形することによって、切り込みＣ２が開き、嵌着部Ｆ２がピン挿通部２２に外嵌されると共に、ピン挿通部２２を包み、弾性変形時の復元力によってそれを強く把持する。
次に上下の端に位置するピン挿通部１２，１２に対しては、それらと嵌着部Ｆ１，Ｆ１とを突き合わせると共に、切り込みＣ１と耳１１とを一致させたうえ、嵌着部Ｆ１，Ｆ１を上及び下から押すと、嵌着部Ｆ１，Ｆ１はピン挿通部１２，１２に外嵌されると共に、ピン挿通部１２，１２を包み、弾性変形時の復元力によってそれを強く把持する。
【００１８】
以上のように構成された飾りキャップ付き蝶番によれば、外側に露出するピン挿通部１２，１２，２２は嵌着部Ｆ１，Ｆ１，Ｆ２によって覆われるため、その外観は飾りキャップによって好みのデザインに変更可能である。従って、第１に、軟鋼等の安価な材料で大量生産された低コストの蝶番が使用可能になるため、コストの著しい低減が可能になる。第２に、色・形状・質感その他の点で多様な飾りキャップが準備されていれば、消費者はその中から好みに合ったものを選択し、ピン挿通部１２，１２，２２に嵌着するだけで、蝶番全体が同材料で構成されたものを採用するのに比較して、低負担で自分の好みの外観の蝶番を容易に得ることが出来る。
【００１９】
第３に、飾りキャップ自体も、例えばプラスチック等、安価に成形可能な基体の表面に好みの塗装・メッキ等が施されたものが採用されれば、コストが一層低減されることになる。第４に、飾りキャップは、脱着自在であるため、必要に応じて低い負担で好みのものに交換可能であり、蝶番全体を交換するのに比べて、容易であり、安価である。
第５に、飾りキャップは、少なくとも一部に断面円弧状の部分を有する嵌着部Ｆ１，Ｆ１，Ｆ２を備え、弾性変形容易であって、弾性変形時の復元力によってピン挿通部１２，１２，２２を把持可能であるため、ピン挿通部１２，１２，２２への脱着が容易であるだけでなく、使用時に衝撃等による脱落も起こり難い。
【００２０】
【発明の効果】
本発明によれば、軟鋼等安価な材料で大量生産された低コストの蝶番が使用可能になるため、コストの著しい低減が可能になる。さらに、色・形状・質感その他の点で多様な飾りキャップが準備されれば、消費者はその中から好みに合ったものを選択し、ピン挿通部を覆うように嵌着するだけで、蝶番全体が同材料で構成されたものに比較して低負担で自分の好みの蝶番を容易に得ることが出来る。
さらに、飾りキャップ自体も、例えばプラスチック等、安価に成形可能な基体の表面に好みの塗装・メッキ等が施されることによって、コストが一層低減されることになる。そのうえ飾りキャップは、脱着自在であるため、必要に応じて低い負担で好みのものに交換可能である。
【００２１】
また本発明によれば、中間に位置する飾りキャップが弾性変形容易であって、弾性変形時の復元力によってピン挿通部を把持可能であるため、脱着が容易であるだけでなく、使用時に衝撃等による脱落も起こり難い。
【図面の簡単な説明】
【図１】本発明の実施の形態例に係る斜視図で、飾りキャップが取り付けられる前の状態を示す。
【図２】図１の展開された状態の正面図で、飾りキャップが取り付けられる前の状態を示す。
【図３】従来例に係る斜視図である。
【符号の説明】
１１      耳部
１２      ピン挿通部
２１      耳部
２２      ピン挿通部
２５      ピン
Ｃ１      切り込み
Ｃ２      切り込み
Ｆ１      嵌着部（飾りキャップ）
Ｆ２      嵌着部（飾りキャップ）
Ｍ        飾り部
【図１】
0004028638.tif 000002
【図２】
0004028638.tif 000003
【図３】
0004028638.tif 000004